(57)【要約】【課題】構成が簡単であって、安価に提供することができ、通信不良などの発生を防止するＩＣタグ装着用治具を提供すること。【解決手段】長尺シート２１を円筒状紙管２２の外周面２２ｃに巻回してなるロール状製品２０に対し、当該製品にＩＣタグ１を脱着自在に装着するためのＩＣタグ装着手段１１を含むものからなり、前記ＩＣタグ装着手段が、前記ＩＣタグを前記紙管の中空部２２ｅ内に支持し、当該ＩＣタグのアンテナ面２ａを前記紙管の軸方向に対して交差する面上に位置決めして支持するものからなることを特徴とするＩＣタグ装着用治具１０を構成するものである。【選択図】図１
2009184742.tif 000002
【特許請求の範囲】
【請求項１】
長尺シートを円筒状紙管の外周面に巻回してなるロール状製品に対し、当該ロール状製品にＩＣタグを脱着自在に装着するためのＩＣタグ装着手段を含むものからなり、
前記ＩＣタグ装着手段が、前記ＩＣタグを前記紙管の中空部内に支持し、当該ＩＣタグのアンテナ面を前記紙管の軸方向に対して交差する面上に位置決めして支持するものからなることを特徴とするＩＣタグ装着用治具。
【請求項２】
前記ＩＣタグ装着手段が、適度な弾性を有する素材によって成形されるＩＣタグ装着用部材からなり、前記ＩＣタグ装着用部材が、前記円筒状紙管の内周面に嵌り合う外周面と、軸方向に交差する第１および第２の端面とを備えたものからなることを特徴とする請求項１に記載のＩＣタグ装着用治具。
【請求項３】
前記ＩＣタグ装着用部材が、前記第１および第２の端面の中間部に、軸方向に交差する面に沿ってのびるＩＣタグ収容スリットを設けたことを特徴とする請求項１あるいは請求項２に記載のＩＣタグ装着用治具。
【請求項４】
前記ＩＣタグ装着用部材が、横断面多角形形状でなることを特徴とする請求項１〜請求項３のいずれかに記載のＩＣタグ装着用治具。
【請求項５】
前記ＩＣタグ装着用部材の外周面が、軸方向の一端側から他端側に向けて若干傾斜状に形成されているものからなることを特徴とする請求項１〜請求項４のいずれかに記載のＩＣタグ装着用治具。
【発明の詳細な説明】
【技術分野】
【０００１】
この発明は、各種情報を記憶することができるＩＣタグを用いて、円筒状の紙管に巻いてあるロール状製品の使用記録、使用状況並びに在庫管理を行うＩＣタグ管理システムにおいて、特に、該ロール状製品における円筒状紙管に対してＩＣタグを装着するためのＩＣタグ装着用治具に関するものである。
【背景技術】
【０００２】
周知のように、各種産業分野において、各種情報を記録し、伝達するための手段として、より多量の情報を取り扱うことができ、耐環境性に優れており、且つ、遠隔的な読み出しが可能なデータキャリアシステムと呼ばれるＩＣタグ識別システムが開発され提供されてきている。
【０００３】
上記するＩＣタグ識別システムに使用されるＩＣタグ１は、図１において拡大して示すように、例えば、コイル状に形成したアンテナ２と、このアンテナ２に電気的に接続されたＩＣチップなどの電子部品３と、これらの内蔵部品を収容封止して、外層を形成する外層樹脂４とにより構成されている。
【０００４】
このＩＣタグ１は、アンテナ２および電子部品３とを外層樹脂４により封止したものであり、当該ＩＣタグを、取り付けるべき物品の被取付面に対して、馴染む程度の可撓性並びに柔軟性を有しており、概してシート状に成形されたものからなっている。
【０００５】
上記するような構成でなるＩＣタグは、当該ＩＣタグのアンテナ面（ＩＣタグ１の厚さ方向に向いた面）に対して、読み取り側のアンテナが垂直方向にあることが読み取る上で望ましい条件である。例えば、特許文献１に記載のＩＣタグの装着具は、原紙３の芯である円筒状の紙管４の内側に沿った状態になるような弾力のある板２にＩＣタグ１を貼り付けた構成のものである。
【０００６】
この特許文献１に記載のものは、上記ＩＣタグのアンテナ面が円筒状紙管の内周面に沿って平行に取り付けられているため、該アンテナ面に対して垂直方向から読み取ろうとすると、その読み取り方向は、紙管並びに紙管に巻かれているロール原紙越しに行わなければならないものである。このように、ＩＣタグのアンテナ面を円筒状紙管の内周面に沿って平行に取り付け、紙管並びに紙管に巻かれているロール原紙越しに読み取りを行う構成のものでは、ロール原紙に対する湿気並びに通信距離などの影響により通信不良などの発生の要因となっていた。
【０００７】
【特許文献１】特開２００７−１４５５９３号公報（要約、図１）
【発明の開示】
【発明が解決しようとする課題】
【０００８】
そこで、この発明は、上記する従来の技術にみられる問題点を解消しようとするものであり、構成が極めて簡単であって、安価に提供することができ、上記するような通信不良などの発生を防止しようとするＩＣタグ装着用治具を提供することにある。さらに、この発明は、紙管に長尺シート素材を巻いたり巻きだしたりするときに掛かる回転時の遠心力によりＩＣタグや治具が外れないようにしたＩＣタグ装着用治具を提供することにある。
【課題を解決するための手段】
【０００９】
この発明は、上記する目的を達成するにあたって、具体的には、長尺シートを円筒状紙管の外周面に巻回してなるロール状製品に対し、当該製品にＩＣタグを脱着自在に装着するためのＩＣタグ装着手段を含むものからなり、
前記ＩＣタグ装着手段が、前記ＩＣタグを前記紙管の中空部内に支持し、当該ＩＣタグのアンテナ面を前記紙管の軸方向に対して交差する面上に位置決めして支持するものからなることを特徴とするＩＣタグ装着用治具を構成するものである。
【００１０】
さらに、この発明において請求項２に記載の発明は、請求項１に記載のＩＣタグ装着用治具であって、前記ＩＣタグ装着手段が、適度な弾性を有する素材によって成形されるＩＣタグ装着用部材からなり、前記ＩＣタグ装着用部材が、前記円筒状紙管の内周面に嵌り合う外周面と、軸方向に交差する第１および第２の端面とを備えたものからなることを特徴とするものである。
【００１１】
さらにまた、この発明において請求項３に記載の発明は、請求項１あるいは請求項２に記載のＩＣタグ装着用治具であって、前記ＩＣタグ装着用部材が、前記第１および第２の端面の中間部に、軸方向に交差する面に沿ってのびるＩＣタグ収容スリットを設けたことを特徴とするものである。
【００１２】
さらにまた、この発明において請求項４に記載の発明は、請求項１〜請求項３のいずれかに記載のＩＣタグ装着用治具であって、前記ＩＣタグ装着用部材が、横断面多角形形状でなることを特徴とするものである。
【００１３】
さらにまた、この発明において請求項５に記載の発明は、請求項１〜請求項４のいずれかに記載のＩＣタグ装着用治具であって、前記ＩＣタグ装着用部材の外周面が、軸方向の一端側から他端側に向けて若干傾斜状に形成されているものからなることを特徴とするものである。
【発明の効果】
【００１４】
この発明になるＩＣタグ装着用治具は、ロール状製品に対し、当該製品にＩＣタグを脱着自在に装着するためのＩＣタグ装着手段を含むものからなり、該ＩＣタグ装着手段が、ＩＣタグを紙管の中空部内に支持し、該ＩＣタグのアンテナ面を紙管の軸方向に対して交差する面上に位置決めして支持するように構成することにより、紙管の軸方向端部からＩＣタグのアンテナ面を垂直方向に読み取ることができ、従来の紙管並びに紙管に巻かれているロール原紙越しに読み取りを行う構成のものに比べて、ロール原紙に対する湿気並びに通信距離などの影響による通信不良などの発生を防止することができ、より正確な読み取り並びに書き込みを行うことができるという点において、極めて有効に作用するものといえる。
【００１５】
さらに、この発明になるＩＣタグ装着用治具は、ＩＣタグ装着手段が、適度な弾性を有する素材によって成形されるＩＣタグ装着用部材からなっており、このＩＣタグ装着用部材が、横断面多角形形状のものである点、さらには、ＩＣタグ装着用部材の外周面が、軸方向の一端側から他端側に向けて若干傾斜状に形成されている点、などにより、円筒状紙管に対する脱着が極めて容易であり、且つ、装着時における位置決め安定性の点においても極めて確実性の高いものといえる。
【発明を実施するための最良の形態】
【００１６】
以下、この発明になるＩＣタグ装着用治具について、図面に示す具体的な実施例に基づいて詳細に説明する。図１は、この発明になるＩＣタグ装着用治具の具体的な実施例を示すものであって、紙管の一部を破断し、内部に収容するＩＣタグを拡大して矢印方向に引き出した状態を示す概略的な斜視図である。一方、図２は、ＩＣタグ装着部分の詳細を示すものであって、図２Ａは、その概略的な縦断面図であり、図２Ｂは、図２Ａにおける矢印２Ｂから見た概略的な側面図である。さらに、図３は、この発明になるＩＣタグ装着用治具の好ましい例を示すものであって、図３Ａは、その概略的な正面図であり、図３Ｂは、その概略的な側面図であり、図３Ｃは、図３Ａにおける３Ｃ−３Ｃ線に沿って断面で示す概略的な３Ｃ−３Ｃ線断面図である。図４は、この発明になるＩＣタグ装着用治具の他の好ましい例を示すものであって、ＩＣタグ装着用部材に対するＩＣタグ収容スリットが、ＩＣタグ装着用部材を円筒状紙管に装着した状態において、該円筒状紙管の軸線に対して所望の角度に傾斜する構成例を示す概略的な縦断面図である。
【００１７】
まず、この発明におけるＩＣタグ１の構造について説明する。このＩＣタグ１は、コイル状に形成したアンテナ２と、このアンテナ２に電気的に接続されたＩＣチップなどの電子部品３と、このアンテナ２および電子部品３を収容封止して外層を形成する外層樹脂４とにより構成されている。このＩＣタグ１は、適度の可撓性並びに柔軟性を有するものからなっている。その厚さ寸法は、約０．１〜２．０ｍｍ程度のものであり、平面視形状は、円形あるいは矩形のいずれであっても良く、その平面視寸法は、円形のものにおいて直径約５〜４０ｍｍ程度のものであり、矩形のものにおいて一辺約５〜４０ｍｍ程度のものである。
【００１８】
このＩＣタグ１には、商取引の対象である多くの物品を管理する目的において、当該物品に関する様々な情報、例えば、物品の名称、重量、内容量、製造者名、販売者名、製造場所、製造年月日、使用期限などの情報を、タグ情報として予め記憶してあり、外部より読み取りあるいは書き込みできるようになっている。電子タグ識別システムは、物品側に取り付けられる電子タグとよばれる応答器と、ホスト側に接続される質問器とで構成され、これら応答器と質問器との間で、磁気、誘導電磁界、マイクロ波、電波などの電送媒体を介して非接触で遠隔で交信を行うことができるものである。
【００１９】
図１に示すように、この発明の適用になるロール状製品２０とは、原紙などの長尺シート２１を円筒状紙管２２の外周面２２ｃに連続的に巻回したものであって、その必要量を巻きだしながら使用に供するものである。前記紙管２２は、紙材を円筒状に成形してなる軸芯であり、軸方向の一端２２ａから他端２２ｂにわたって均一にのびる外周面２２ｃおよび内周面２２ｄを有するものからなっている。この発明の最も好ましい適用例は、前記長尺シート２１が原紙であり、ロール紙製品に対するものである。しかしながら、この発明は、ロール紙製品にのみ限定されるものではなく、その他のロール状製品に対しても適用が可能である。
【００２０】
次いで、この発明になるＩＣタグ装着用治具１０の好ましい実施例について、図面に基づいて詳細に説明する。このＩＣタグ装着用治具１０は、上記するロール状製品２０に対し、当該製品２０にＩＣタグ１を脱着自在に装着するためのＩＣタグ装着手段１１を含むものからなっている。前記ＩＣタグ装着手段１１は、前記ＩＣタグ１を前記紙管２２の中空部２２ｅ内に支持し、当該ＩＣタグ１のアンテナ面２ａを前記紙管２２の軸方向に対して交差する面上に位置決めして支持するものからなっている。
【００２１】
前記ＩＣタグ装着手段１１は、具体的には、適度な弾性を有する素材によって成形されるＩＣタグ装着用部材１２により構成されるものである。このＩＣタグ装着用部材１２は、適度な弾性を有し、軽量であり、加工性に富み、形状安定性に優れた素材、例えば、ポリウレタン、ポリエチレン、アクリル、ポリプロピレン、ポリスチレン、塩化ビニル、ゴムなどの発泡素材が有効であり、その他に、フローラルフォーム、場合によっては、紙製あるいは木製のものであってもよい。
【００２２】
前記ＩＣタグ装着用部材１２は、前記円筒状紙管２２の内周面２２ｄに嵌り合う外周面１２ｃと、軸方向に交差する第１の端面１２ａおよび第２の端面１２ｂと、中心を軸方向に貫通する貫通孔１２ｄを備えたものからなっている。前記ＩＣタグ装着用部材１２は、その外周面１２ｃの外径が円筒状紙管２２の内周面２２ｄよりやや大きめで、弾力性があり、円筒状紙管２２に挿入しても、その弾力により、しっかりと固定することができる。前記ＩＣタグ装着用部材１２における貫通孔１２ｄは、コルゲータと呼ばれる送り出し装置のセンサーを妨げないためのものである。
【００２３】
さらに、前記ＩＣタグ装着用部材１２は、前記第１の端面１２ａおよび第２の端面１２ｂの中間部に、軸方向に交差する面に沿ってのびるＩＣタグ収容スリット１３を設けたものからなっている。前記ＩＣタグ収容スリット１３には、前記ＩＣタグ１が着脱自在に密着挿入されるようになっている。前記ＩＣタグ装着用部材１２に対して、ＩＣタグ１を挿入する位置について、当該ＩＣタグ装着用部材１２の軸方向に対し、その中心部に挿入することでバランスを保ち、コルゲータ（送り出し機）の高速回転によって、円筒状紙管２２内で左右にずれることを防止する。
【００２４】
前記ＩＣタグ装着用部材１２に対するＩＣタグ収容スリット１３は、図２Ａおよび図３Ｃに示すように、当該ＩＣタグ装着用部材１２を円筒状紙管２２に装着した状態において、該円筒状紙管２２の軸線に対して直交差するように形成したものであってもよいし、あるいは、図４に示すように、円筒状紙管２２の軸線に対して所望の角度、例えば、４５度に傾斜するように形成したものであってもよい。この傾斜角度は、４５度に限定されるものではない。
【００２５】
前項において、前者の場合、ＩＣタグ１に対して、ロール状製品２０の軸方向から、リーダー・ライター２３によって、書き込みないしは読み込みが行えるものである。一方、後者の場合は、ＩＣタグ１に対して、ロール状製品２０の軸方向Ｘあるいは径方向Ｙの双方から、リーダー・ライター２３によって、書き込みないしは読み込みを行うことができるようになっている。
【００２６】
さらに好ましい実施例において、前記ＩＣタグ装着用部材１２は、横断面多角形形状に形成されている。すなわち、前記ＩＣタグ装着用部材１２は、前記外周面１２ｃが多面に形成されていて、隣接する面が交差して形成される稜線１４に沿って、前記円筒状紙管２２の内周面２２ｄに嵌り合うようになっている。
【００２７】
さらに好ましい実施例において、前記ＩＣタグ装着用部材１２は、軸方向の一端側１２ａから他端側１２ｂに向けて若干先細になるよう傾斜状に形成されている。
【００２８】
このように、前記ＩＣタグ装着用部材１２を、適度な弾性を有する素材によって成形し、横断面多角形形状に形成し、一方向に若干先細になるよう傾斜状に形成することによって、当該ＩＣタグ装着用部材１２自体を前記円筒状紙管２２に対しての着脱を容易に行うことができ、且つ、装着時における装着安定性を確実に確保するものである。
【００２９】
この発明のように、ＩＣタグ１を用いてロール状製品２０を管理する運用方法について述べると、次の二通りのパターンがある。第１のパターンは、ＩＣタグ１に予め情報を持たせておき、例えば、図１に示すようなリーダー・ライター２３により、ＩＣタグ１に直接情報を書き込んで、リーダー・ライター２３で確認する方法である。第２のパターンは、システム側に情報を持たせておき、ＩＣタグ１には固有のコードを持たせて、リーダー・ライター２３でＩＣタグ１のコードを読み込んで、システム側にＩＣタグコードを送り、必要な情報を書き込む。情報確認は、その商品に付しているＩＣタグを、読み込みシステムが持つ情報を引き出して確認するものである。
【図面の簡単な説明】
【００３０】
【図１】図１は、この発明になるＩＣタグ装着用治具の具体的な実施例を示すものであって、紙管の一部を破断し、内部に収容するＩＣタグを拡大して矢印方向に引き出した状態を示す概略的な斜視図である。
【図２】図２は、ＩＣタグ装着部分の詳細を示すものであって、図２Ａは、その概略的な縦断面図であり、図２Ｂは、図２Ａにおける矢印２Ｂから見た概略的な側面図である。
【図３】図３は、この発明になるＩＣタグ装着用治具の好ましい例を示すものであって、図３Ａは、その概略的な正面図であり、図３Ｂは、その概略的な側面図であり、図３Ｃは、図３Ａにおける３Ｃ−３Ｃ線に沿って断面で示す概略的な３Ｃ−３Ｃ線断面図である。
【図４】図４は、この発明になるＩＣタグ装着用治具の他の好ましい例を示すものであって、ＩＣタグ装着用部材に対するＩＣタグ収容スリットが、ＩＣタグ装着用部材を円筒状紙管に装着した状態において、該円筒状紙管の軸線に対して所望の角度に傾斜する構成例を示す概略的な縦断面図である。
【符号の説明】
【００３１】
１  ＩＣタグ
２  アンテナ
２ａ  アンテナ面
３  ＩＣチップなどの電子部品
４  外層樹脂
１０  ＩＣタグ装着用治具
１１  ＩＣタグ装着手段
１２  ＩＣタグ装着用部材
１２ａ  ＩＣタグ装着用部材の第１の端面
１２ｂ  ＩＣタグ装着用部材の第２の端面
１２ｃ  ＩＣタグ装着用部材の外周面
１２ｄ  ＩＣタグ装着用部材の貫通孔
１３  ＩＣタグ収容スリット
１４  稜線
２０  ロール状製品
２１  長尺シート
２２  円筒状紙管
２２ａ  円筒状紙管の一端
２２ｂ  円筒状紙管の他端
２２ｃ  円筒状紙管の外周面
２２ｄ  円筒状紙管の内周面
２２ｅ  円筒状紙管の中空部
２３  リーダー・ライター
【図１】
2009184742.tif 000003
【図２】
2009184742.tif 000004
【図３】
2009184742.tif 000005
【図４】
2009184742.tif 000006